(57)【特許請求の範囲】
【請求項１】
底板(1)の隅辺を挟む２辺に側板(2)及び端板(3)をそれぞれ連設して、側板(2)から側方へ延びる隅板(4)と底板(1)の隅辺とを連結片(5)で繋ぎ、底板(1)から側板(2)及び端板(3)を起立させ、側板(2)から隅板(4)を斜めに折り曲げると共に、連結片(5)を折り込んで底板(1)に重ねる組立箱において、前記連結片(5)の端板(3)に向かう端縁に係止突起(10)を設け、端板(3)の底部に係止穴(11)を形成し、係止突起(10)を係止穴(11)に差し込んで保形することを特徴とする組立箱。
【請求項２】
前記係止穴(11)として、端板(3)に底板(1)との境界の折目線からＨ字状に切込を入れ、端板(3)の起立に伴い、係止穴(11)が開口し、係止突起(10)が係止穴(11)に圧入されるようにしたことを特徴とする請求項１に記載の組立箱。
【発明の詳細な説明】
【技術分野】
【０００１】
この発明は、ピザ等の円盤状食品の収納等に適した組立箱に関するものである。
【背景技術】
【０００２】
従来、この種の組立箱として、下記特許文献１には、図５に示すような段ボール製のものが記載されている。
【０００３】
この組立箱では、八角形の底板５１の隅辺を挟む２辺に側板５２及び端板５３がそれぞれ連設され、側板５２から両側方へ延びる隅板５４と底板５１の隅辺とが連結片５５で繋がれると共に、端板５３から両側方へ延びる端折片５６が連結片５５に繋がれている。
【０００４】
そして、側板５２から隅板５４を斜めに折り曲げると共に、連結片５５及び端折片５６を折り込んで底板５１に重ね、一方の端板５３の上端に連設した蓋５７を閉じ、蓋５７の先端及び両側の差込片５８，５９を箱内に差し込んで保形するようにしている。
【０００５】
また、組立時に、隅板５４の先端上部に切込を入れて形成した仮止片５４ａを外側へ折り曲げ、端折片５６の裏面に当接させて仮止状態とし、商品収納に際し、蓋５７を閉じる前に、起立させた側板５２及び端板５３が伏倒状態に戻る現象を防止している。
【先行技術文献】
【特許文献】
【０００６】
【特許文献１】特開２００３−２２１０２６号公報
【発明の概要】
【発明が解決しようとする課題】
【０００７】
しかしながら、上記のような組立箱では、連結片５５が折目の反発により底板５１から浮き上がって、仮止片５４ａが端折片５６の上端よりも上方へずれると、仮止状態が解除されて、側板５２及び端板５３が倒れ、包装作業に支障を生じることがある。
【０００８】
そこで、この発明は、組立過程での連結片の浮き上がりを防止し、側板及び端板が起立状態に保持されるようにすることを課題とする。
【課題を解決するための手段】
【０００９】
上記課題を解決するため、この発明は、底板の隅辺を挟む２辺に側板及び端板をそれぞれ連設して、側板から側方へ延びる隅板と底板の隅辺とを連結片で繋ぎ、底板から側板及び端板を起立させ、側板から隅板を斜めに折り曲げると共に、連結片を折り込んで底板に重ねる組立箱において、前記連結片の端板に向かう端縁に係止突起を設け、端板の底部に係止穴を形成し、係止突起を係止穴に差し込んで保形することとしたのである。
【００１０】
また、前記係止穴として、端板に底板との境界の折目線からＨ字状に切込を入れ、端板の起立に伴い、係止穴が開口し、係止突起が係止穴に圧入されるようにしたのである。
【発明の効果】
【００１１】
この発明に係る組立箱では、連結片の係止突起が端板の係止穴に係合して、底板からの連結片の浮き上がりが防止され、箱内に商品を収納して包装する際、側板と端板とを手で支えておかなくても、側板及び端板が起立状態に保持されるので、包装作業性を向上させることができる。
【図面の簡単な説明】
【００１２】
【図１】この発明の実施形態に係る組立箱のブランクを示す図
【図２】同上の組立時の開蓋状態を示す斜視図
【図３】同上の組立過程の要部拡大斜視図
【図４】同上の閉蓋状態を示す斜視図
【図５】従来の組立箱の開蓋状態を示す斜視図
【発明を実施するための形態】
【００１３】
以下、この発明の実施形態を添付図面に基づいて説明する。
【００１４】
この組立箱の段ボール製ブランクでは、図１に示すように、八角形の底板１の両側辺に側板２が、前後辺に端板３がそれぞれ連設され、各側板２の両側から延びる隅板４と底板１の隅辺とが三角状の連結片５を介して繋がれている。連結片５と底板１及び隅板４との境界の折目線には、折曲抵抗を軽減するため、長い切目が入れられている。
【００１５】
前側の端板３の先端には蓋受片６が連設され、後側の端板３には八角形の蓋板７が連設されている。蓋受片６の基端にはスリット状の差込穴８が形成され、蓋板７の先端には差込片９が設けられている。前方の端板３には、差込穴８に臨んで指入穴８ａが設けられ、蓋板７の先端中央部には、差込片９を切り込んで指掛突起９ａが設けられている。
【００１６】
連結片５には、端板３側に位置する端縁に、係止突起１０が設けられ、端板３の底部には、底板１との境界の折目線からＨ字状に切込を入れて係止穴１１が形成されている。係止穴１１の縦方向に延びる切込間の部分は、押圧片１２とされている。
【００１７】
上記のようなブランクを組み立ててピザ等の商品を包装する際には、底板１に商品を載せて、底板１から各一対の側板２及び端板３を起立させ、これと同時に、側板２から隅板４を斜めに折り曲げ、連結片５を折り込み、底板１の上面に重ねて、係止突起１０を係止穴１１に差し込む。
【００１８】
このとき、図３に示すように、端板３の起立に伴い、係止穴１１が開口し、係止突起１０が押圧片１２を外側へ弾力的に撓ませつつ、係止穴１１に圧入され、係止突起１０と係止穴１１の係合により、底板１からの連結片５の浮き上がりが防止される。そして、端板３が直立すると、押圧片１２は復元する。
【００１９】
このように側板２及び端板３を起立させると、側板２と端板３から手を離しても、端板３が外側へ若干揺動して、押圧片１２の下端縁が係止突起１０に圧接し、それ以上の端板３の傾動が抑制されると共に、係止穴１１からの係止突起１０の抜け出しが阻止されるので、側板２の傾動も抑制され、側板２及び端板３が起立状態に保持される。
【００２０】
このため、図４に示すように、蓋受片６を内側へ折り曲げ、蓋板７を閉じる際、側板２及び端板３を抱き込むように支えておく必要がなく、極めて容易に、差込片９を差込穴８に差し込んで封緘することができ、包装作業性を向上させることができる。
【００２１】
また、指入穴８ａに指先を入れて指掛突起９ａに指を掛け、差込穴８から差込片９を引き抜いて蓋板７を開いたとき、蓋板７の押さえによる保形作用はなくなるが、この状態においても、側板２及び端板３が起立状態に保持される。
【００２２】
なお、上記実施形態では、蓋板７を有するものを例示したが、蓋板７のないトレー状の箱においても、側板２及び端板３を起立状態に保持するため、同様の構成を採用できる。
【００２３】
また、側板２の両側方に、係止突起１０と係止穴１１との係合による保持部を設けたものを例示したが、一方の係止突起１０及び係止穴１１を省略し、端板３の上端からの延長部を内側へ巻き込んで形成した額縁構造の端壁により、隅板４の延長部を挟み込むようにしても、保形することができる。
【００２４】
この場合、係止突起１０と係止穴１１との係合による保持部と、上記額縁構造による保持部とを、底板１の周方向に交互に順次設けるようにしてもよい。
【符号の説明】
【００２５】
１  底板
２  側板
３  端板
４  隅板
５  連結片
６  蓋受片
７  蓋板
８  差込穴
８ａ  指入穴
９  差込片
９ａ  指掛突起
１０  係止突起
１１  係止穴
１２  押圧片
【図１】
0005466079.tif 000002
【図２】
0005466079.tif 000003
【図３】
0005466079.tif 000004
【図４】
0005466079.tif 000005
【図５】
0005466079.tif 000006